(57)【要約】【課題】機械の操作性を向上させつつ、高い防振性能を維持できる手袋を提供する。【解決手段】振動を発生する機械の作業時に使用される手袋１であって、手袋１が、その掌側に、複数の防振材１０が取り付けられており、防振材１０に、厚さ方向を貫通する貫通孔10hが形成されている。貫通孔10hを形成したことによって、防振材１０を、厚さ方向および外方だけでなく、貫通孔10hに向かって変形させることが可能となるから、防振材１０の柔軟性を向上させることができ、しかも、吸振性を向上させることができる。また、防振材１０の素材を厚くして吸振性をさらに向上させても指等をスムースに動かすことができるから、良好な操作性を確保することができる。【選択図】図１
2006132011.tif 000002
【特許請求の範囲】
【請求項１】
振動を発生する機械の作業時に使用される手袋であって、
該手袋が、
その掌側に、防振材が取り付けられており、
該防振材に、厚さ方向を貫通する貫通孔が形成されている
ことを特徴とする手袋。
【請求項２】
前記防振材に設けられている前記貫通孔の面積が、該防振材の面積の５〜２０％である
ことを特徴とする請求項１記載の手袋。
【請求項３】
前記防振材の素材が、ネオプレンゴムである
ことを特徴とする請求項１記載の手袋。
【発明の詳細な説明】
【技術分野】
【０００１】
本発明は、手袋に関する。チェーンソーや削岩機、電動工具等の振動を発生する機械を使用して作業するときに、作業者に加わる振動を軽減するために使用される手袋に関する。
【背景技術】
【０００２】
振動発生する機械から作業者に加わる振動を軽減する手袋として、従来例１〜８（特許文献１〜８）が開発されている。
かかる手袋は、その掌側の部分に例えば、空気層、ゴムやウレタン発泡体等からなる防振材を設けており、この空気層や防振材によって振動を吸収することができる。
【０００３】
しかるに、従来例１〜８の手袋では、防振材自体の性質に振動の吸収性が依存していたため、振動の吸収性を向上させるには防振材の厚さを厚くするしかなかった。
しかし、防振材の厚さを厚くした場合には、振動の吸収性は向上できるが、防振材の柔軟性が低下し操作性が悪くなる。
したがって、機械の操作性を満足しつつ、十分な防振性能を発揮できる防振材を備えた手袋はその製造が非常に難しく、これまで上記条件を満足する手袋はなかった。
【０００４】
【特許文献１】特開２００１−３３６００７号
【特許文献２】特開２００３−６４５１０号
【特許文献３】特開２００４−１１０６３号
【特許文献４】特開２００４−１９７２３５号
【特許文献５】特開２００４−２３８７６５号
【特許文献６】実開平６−２５３１６号
【特許文献７】実開平６−１０３１２号
【特許文献８】実開平５−２２５１１号
【発明の開示】
【発明が解決しようとする課題】
【０００５】
本発明は上記事情に鑑み、機械の操作性を向上させつつ、高い防振性能を維持できる手袋を提供することを目的とする。
【課題を解決するための手段】
【０００６】
第１発明の手袋は、振動を発生する機械の作業時に使用される手袋であって、該手袋が、その掌側に、防振材が取り付けられており、該防振材に、厚さ方向を貫通する貫通孔が形成されていることを特徴とする。
第２発明の手袋は、第１発明において、前記防振材に設けられている前記貫通孔の面積が、該防振材の面積の５〜２０％であることを特徴とする。
第３発明の手袋は、第１発明において、前記防振材の素材が、ネオプレンゴムであることを特徴とする。
【発明の効果】
【０００７】
第１発明によれば、貫通孔を形成したことによって、防振材を、厚さ方向および外方への変形だけでなく、貫通孔に向かって変形、言い換えれば、貫通孔が拡大縮小するように変形させることが可能となるから、防振材の柔軟性を向上させることができ、しかも、吸振性を向上させることができる。また、防振材の素材を厚くして吸振性をさらに向上させても指等をスムースに動かすことができるから、良好な操作性を確保することができる。
第２発明によれば、貫通孔の面積を最適に保つことによって、吸振性と作業性の両方をみたした手袋とすることができる。
第３発明によれば、柔軟性が高いので、防振材の素材を厚くして吸振性をさらに向上させても指等をスムースに動かすことができるから、良好な操作性を確保することができる。
【発明を実施するための最良の形態】
【０００８】
つぎに、本発明の実施形態を図面に基づき説明する。
本発明の手袋は、チェーンソーや削岩機、電動工具等の振動を発生する機械を使用して作業するときに、作業者に加わる振動を軽減するために使用される手袋であって、その掌側に防振材を設けたことによって吸振性を高めたことに特徴を有するものである。
本発明の手袋は、上記機械による作業の際に使用されるものであるが、以下では、代表としてチェーンソーによる作業に適した手袋を説明する。
【０００９】
図１（Ａ）において、符号１Ａは、本実施形態の手袋１の右手用手袋１Ａを示している。この右手用手袋１Ａは、その掌側を形成する部材３が、例えば、革、人工皮革、ゴム、ウレタン樹脂等の滑りにくく摩耗性に優れた材料によって形成されたものである。この右手用手袋１Ａにおいて、その掌側の部材３の内面には裏地４が設けられており、この裏地４と掌側の部材３との間には、複数の防振材１０が取り付けられている。この各防振材１０は、例えば、ネオプレンゴムやシリコンゴム、ウレタン発泡体等の振動を吸収する性能を有する部材から形成されており、右手用手袋１Ａにおいて、その掌および全ての指の位置に配置されており、前記掌側の部材３に縫い付けられている。なお、図１において、破線３ｈは、防振材１０を掌側の部材３に縫い付けている縫い目を示している。
そして、各防振材１０には、その厚さ方向を貫通する、直径が約５〜８ｍｍである貫通孔10hが設けられている。
【００１０】
以上のごとく、本実施形態の手袋１は、各防振材１０にその厚さ方向を貫通するその貫通孔10hを形成したことによって、各防振材１０を、厚さ方向および外方への変形だけでなく、貫通孔10h側に向かって変形、言い換えれば、貫通孔10hが拡大縮小するように変形させることが可能となる。このため、各防振材１０の柔軟性を向上させることができる。しかも、各防振材１０の貫通孔10h内部の空気層も吸振性を発揮するから、各防振材１０による吸振性をより一層向上させることができる。
また、各防振材１０の素材を厚くすれば吸振性をさらに向上させることができる反面、防振材１０が指や掌を動かす抵抗となる可能性があるが、防振材１０に貫通孔10hを形成したことにより各防振材１０の柔軟性が向上しているから、各防振材１０の素材を厚くしても指等をスムースに動かすことができる。よって、防振材１０を設けたことによる操作性の低下を防ぐことができ、良好な操作性を確保することができる。とくに、防振材１０の素材としてネオプレンゴムを使用した場合には、柔軟性が高いので、好適である。
【００１１】
さらに、図１に示すように、防振材１０は、その縫い目が各指の関節や掌の折れ曲がる部分に位置するように掌側の部材３に縫い付けられているから、各指の関節や掌の折れ曲がる部分における防振材１０の厚さを薄くすることができる。すると、指や掌を動かすときに、防振材１０が抵抗とならないから、指等が動かしやすく、防振材１０を設けたことによる操作性の低下を防ぐことができ、良好な操作性を確保することができる。
なお、図２（Ａ）に示すように、防振材１０を細かく分割し、各指の関節や掌の折れ曲がる部分を除いた位置のみに防振材１０が位置するようにしておけば、より一層操作性を向上することができる。
【００１２】
また、各防振材１０において、その各防振材１０に設けられている貫通孔10hの断面積の合計面積が、各防振材１０の面積の５〜２０％とすれば、防振材１０の柔軟性および吸振性が最適に保たれるので、柔軟性および吸振性の両性能に優れた手袋１とすることができる。
なお、各防振材１０における貫通孔10hの断面積の合計面積は上記の範囲に限られるものではないが、５％以下となると柔軟性の低下により操作性が悪くなるし、２０％以上となると貫通孔10hにより形成される掌の凹凸が大きくなることにより操作性が悪くなる。よって、各防振材１０における貫通孔10hの断面積の合計面積は５〜２０％が好ましく、７〜１３％がより一層好ましく、１０％前後が最適である。
さらになお、各防振材１０における貫通孔10hの大きさや配置は、各防振材１０における貫通孔10hの断面積の合計面積を５〜２０％に保つことができ、防振材１０の柔軟性および吸振性を最適に保つことができるのであれば、上記のごとき大きさや図１、２に示す位置に限定されない。
【００１３】
なお、図２（Ｂ）に示すように、左手用手袋１Ｂも、実質的に右手用手袋１Ａと同等の構造であるが、右手用手袋１Ａは右手人差指の部分が第二関節より先端側には防振材１０が設けられていないのに対し、左手用手袋１Ｂではその部分を防振材１０が設けられている。これは、右手人差指がチェーンソーのスロットルを操作するため敏感な感覚が必要とされるのに対して、左手人差指はそのような役割がないことによる。
さらになお、防振材１０を設けない位置は、手袋１を付けて使用する機械に合わせて最適な位置等を選択すれば良く、上記の位置等に限定されない。
【産業上の利用可能性】
【００１４】
本発明の手袋は、チェーンソーや削岩機、電動工具等の振動を発生する機械を使用して作業に適している。
【図面の簡単な説明】
【００１５】
【図１】本実施形態の右手用手袋１Ａの概略説明図であって、（Ａ）は掌側から見た図であり、（Ｂ）は、防振材１０の説明図である。
【図２】（Ａ）は防振材１０の他の実施形態の説明図であり、（Ｂ）は本実施形態の左手用手袋１Ｂの概略説明図である。
【符号の説明】
【００１６】
１        手袋
１Ａ      右手用手袋
１Ｂ      左手用手袋
１０        防振材
１０ｈ      貫通孔
【図１】
2006132011.tif 000003
【図２】
2006132011.tif 000004